(57)【特許請求の範囲】
【請求項１】
表示装置の表示画面上において親画面の中に子画面を重ね、それぞれの画面が異なる映像を表示するように、前記表示装置に映像データを出力する立体映像出力装置であって、
前記子画面に任意の立体映像を表示するための前記映像データに含まれた初期子映像データに対して、予め設定された初期立体感を、所定の増減幅により増減させることによって前記初期立体感を変更する立体感変更手段と、
前記初期子映像データおよび前記立体感変更手段によって変更された初期立体感を設定した第２次子映像データを、前記表示装置に出力することによって、前記表示画面上において前記初期子映像データによって表示される初期立体子映像および前記第２次子映像データによって表示される第２次立体子映像を表示させる表示制御手段とを備え、
前記初期子映像データは、両眼視差を用いて作成されており、
前記初期立体子映像および前記第２次立体子映像は、視聴者が前記表示画面を視聴するとき、前記表示画面において縦方向に隣接して表示され、
前記表示制御手段は、所定の操作装置を介して、前記初期立体子映像と前記第２次立体子映像との比較に基づく調整指示が入力された場合、前記立体感変更手段によって変更された初期立体感を用いて立体感が調整された前記初期子映像データを、前記表示装置に出力することを特徴とする立体映像出力装置。
【請求項２】
前記立体感変更手段は、前記第２次立体子映像が平面映像となるように、前記初期立体感を変更することを特徴とする請求項１に記載の立体映像出力装置。
【請求項３】
視聴者が立体映像を視聴するときに起こると想定される不具合に関する不具合情報を予め記憶する不具合情報記憶部と、
前記表示画面上に表示された前記初期立体子映像および前記第２次立体子映像を視聴する視聴者から視聴に不具合が有るという指示が入力されると、前記不具合情報記憶部から前記不具合情報を取得する不具合情報取得手段とをさらに備え、
前記表示制御手段はさらに、前記不具合情報取得手段によって取得された前記不具合情報を前記表示画面に出力することによって、当該表示画面上において前記不具合情報を表示させることを特徴とする請求項１または２に記載の立体映像出力装置。
【請求項４】
前記表示画面上に表示された前記初期立体子映像および少なくとも１つの前記第２次立体子映像を視聴する視聴者から、前記初期立体子映像および少なくとも１つの前記第２次立体子映像のいずれかを選択するという指示が入力されると、当該選択の対象となった立体子映像の立体感と前記視聴者に関する情報とを関連付ける関連付け手段と、
前記関連付け手段によって関連付けられた前記選択の対象となった立体子映像の立体感と前記視聴者に関する情報とを一組とする情報を、関連付け情報として記憶する関連付け情報記憶部とをさらに備えていることを特徴とする請求項１〜３のいずれか１項に記載の立体映像出力装置。
【請求項５】
前記初期子映像データが入力されると、前記関連付け情報記憶部に記憶された関連付け情報を用いて、前記初期立体子映像を調整する立体感調整手段をさらに備えていることを特徴とする請求項４に記載の立体映像出力装置。
【請求項６】
前記初期子映像データには、複数の立体感が予め設定されていることを特徴とする請求項１〜５のいずれか１項に記載の立体映像出力装置。
【請求項７】
前記初期立体子映像および前記第２次立体子映像は、平面映像を含むことを特徴とする請求項１〜６のいずれか１項に記載の立体映像出力装置。
【請求項８】
前記映像データのうちから前記初期子映像データを検出する子映像検出手段をさらに備えていることを特徴とする請求項１〜７のいずれか１項に記載の立体映像出力装置。
【請求項９】
前記表示制御手段は、前記表示画面上に前記初期立体子映像および前記第２次立体子映像を表示させるとき、前記初期立体子映像および前記第２次立体子映像を実際の視聴時に表示される大きさで表示することを特徴とする請求項１〜８のいずれか１項に記載の立体映像出力装置。
【請求項１０】
前記映像データを記憶する映像データ記憶部をさらに備えていることを特徴とする請求項１〜９のいずれか１項に記載の立体映像出力装置。
【請求項１１】
請求項１〜１０のいずれか１項に記載の立体映像出力装置と、
前記初期子映像データおよび前記第２次子映像データが入力され、前記初期子映像データおよび前記第２次子映像データの各々によって表示される初期立体子映像および前記第２次立体子映像を表示させる表示画面を有する表示装置とを備えていることを特徴とする立体映像表示装置。
【請求項１２】
請求項１〜１０のいずれか１項に記載の立体映像出力装置に用いられる前記初期子映像データおよび前記第２次子映像データを記録したコンピュータ読み取り可能な記録媒体。
【請求項１３】
請求項１〜１０のいずれか１項に記載の立体映像出力装置における各手段としてコンピュータを動作させるための立体映像出力プログラム。
【請求項１４】
請求項１３に記載の立体映像出力プログラムを記録したコンピュータ読み取り可能な記録媒体。
【請求項１５】
表示装置の表示画面上において親画面の中に子画面を重ね、それぞれの画面が異なる映像を表示するように、前記表示装置に映像データを出力する立体映像出力方法であって、
前記子画面に任意の立体映像を表示するための前記映像データに含まれた初期子映像データに対して、予め設定された初期立体感を所定の増減幅により増減させることによって、前記初期立体感を変更する立体感変更工程と、
前記初期子映像データおよび前記立体感変更工程において変更した初期立体感を設定した第２次子映像データを、前記表示装置に出力することによって、前記表示画面上において前記初期子映像データによって表示される初期立体子映像および前記第２次子映像データによって表示される第２次立体子映像を表示させる表示工程とを含み、
前記初期子映像データは、両眼視差を用いて作成されており、
前記初期立体子映像および前記第２次立体子映像は、視聴者が前記表示画面を視聴するとき、前記表示画面において縦方向に隣接して表示され、
前記表示工程において、所定の操作装置を介して、前記初期立体子映像と前記第２次立体子映像との比較に基づく調整指示が入力された場合、前記立体感変更工程において変更した初期立体感を用いて立体感が調整された前記初期子映像データを、前記表示装置に出力することを特徴とする立体映像出力方法。
【発明の詳細な説明】
【技術分野】
【０００１】
本発明は、１つの画面の中に小さな画面を表示させ、その小さな画面上に立体映像を表示させる場合において、視聴者が視聴する立体映像を適切な立体感を用いて出力する立体映像出力装置、立体映像出力方法、立体映像出力プログラムおよびコンピュータ読み取り可能な記録媒体、ならびに、立体映像表示装置に関するものである。
【背景技術】
【０００２】
近年、３次元（Three Dimensional）的な立体視を可能にする技術が急激に進歩し、映画やテレビにおける立体映像技術が普及し始めている。このような立体映像技術は、基本的に、左右の目の間隔によって生じる両眼視差を利用するものである。たとえば、立体映像専用である、右目用映像および左目用映像を別々に表示させ、視聴者の右目および左目のそれぞれの目のみで視聴させることによって、立体映像の視聴を実現することができる。
【０００３】
ところで、３Ｄコンソーシアム（３ＤＣ）安全ガイドライン部会による「３ＤＣ安全ガイドライン（２０１０年４月２０日改訂）」によれば、立体映像を視聴したとき像が２重に見えたり、立体像が感じにくかったりする場合は、直ちに使用を中止し、表示機器やソフトの設定に間違いがないか確認調整し、それでも、２重像に見えたり、違和感を感じたりする等、立体視が成立しない場合は、利用を中止すべきである、とされている。
【０００４】
その理由としては、上記ガイドラインでは、両眼視差を利用する立体機器は、利用者が右目と左目から入る視点の異なる２つの映像を脳の中で融合して始めて立体を感じさせることができ、システムの調整に不適切（左右の光軸のズレ、左右画像のサイズの違い、色や輝度の差、上下のズレ、左右の映像の光の混合（クロストークが大きいなど））があると、左右２つの映像は融合しにくいため、２重像に見えたり違和感を感じ、眼精疲労などを引き起こす原因となることがある、とされている。
【０００５】
さらに、左右の目に与えるべき映像が左右入れ替わっても利用者（視聴者）は意外に気づかないものである。しかし、視覚疲労や不快感の原因となるので、左右逆転がおきないような配慮が望まれる、ともされている。
【０００６】
このような状況を考慮すれば、視聴者が視聴する立体映像の立体感を適宜調整し、適切な立体感を用いて視聴者に立体映像を視聴させることができるようにすることが重要な事柄となる。
【０００７】
適切な立体感を用いて視聴者に立体映像を視聴させる１つの手段として、視聴者自らがその立体感を調整可能にさせることが非常に有効である。
【０００８】
たとえば、特許文献１は、視聴者に画質を調整させ得るようになされたテレビジョン装置に適用して好適な画質調整装置を開示している。
【０００９】
この画質調整装置によれば、視聴者に画質の変更前後の映像同士を見比べさせることによって、視聴者に映像の画質を調整させることができる。
【００１０】
また、近年、ピクチャーインピクチャーと呼ばれる表示技術が一般に利用されて来ている。このピクチャーインピクチャーとは、１つの画面の中に小さな画面を重ねて、別の内容を表示する方法のことをいう。たとえば、テレビの画面において、あるチャンネルの映像を映す画面の隅に小さな画面を重ねて、別のチャンネルの映像を表示したり、パソコンのデスクトップ画面の隅にテレビの映像を小さく表示したりすることである。
【００１１】
たとえば、特許文献２は、このようなピクチャーインピクチャーを用いた手術用ナビゲーションシステムを開示している。この手術用ナビゲーションシステムは、表示部に表示されている生体画像情報の上に、使用している手術器具などの処置用機器の位置を表示する。これにより、手術を進める方向をナビゲートすることができる。
【００１２】
このようなピクチャーインピクチャーにおいて、１つの画面の中に表示される小さな画面に立体映像を表示する場合、上で述べたと同様、視聴者が視聴する立体映像の立体感を適宜調整し、適切な立体感を用いて視聴者に立体映像を視聴させることができるようにすることが重要となる。
【先行技術文献】
【特許文献】
【００１３】
【特許文献１】特開２００６−１３６１８号公報（２００６年１月１２日公開）
【特許文献２】特開２００１−２０４７３８号公報（２００１年７月３１日公開）
【発明の概要】
【発明が解決しようとする課題】
【００１４】
しかしながら、特許文献１に開示された画質調整装置は、その調整対象を２次元的な平面映像とするものであり、立体映像を調整対象とするものではない。
【００１５】
さらに、映像の画質の調整と立体画像の立体感の調整とは、その調整内容は全く異なるものであり、上記の画質調整装置を単純に、立体映像の立体感の調整に応用することはできない。
【００１６】
特に、特許文献２に開示された手術用ナビゲーションシステムでは、手術において、患者の全体映像を表示する親映像の中に、手術を行なっている患部の拡大映像を表示する小さな画面を表示するものである。この小さな画面に表示される映像は手術を行なう医師や看護婦、看護士に大事な映像であり、その映像を立体映像とすることにより、手術の安全性や効率性を高めることができる。
【００１７】
このとき、上で述べたように、小さい画面に表示される患部の拡大映像の立体感を適宜調整し、適切な立体感を用いて医師や看護婦、看護士に患部の立体映像を視聴させることができれば、手術の安全性や効率性をより高めることが可能となる。
【００１８】
したがって、本発明の目的は、１つの画面の中に小さな画面を表示させ、その小さな画面上に立体映像を表示させる場合において、異なる立体感を用いた映像を視聴者に視聴させ、それらを視聴者に比較させることによって、適切な立体感を用いた映像を出力することができる立体映像出力装置、立体映像出力方法、立体映像出力プログラムおよびコンピュータ読み取り可能な記録媒体、ならびに、立体映像表示装置を提供することである。
【課題を解決するための手段】
【００１９】
上記目的を達成するために、本発明に係る立体映像出力装置は、表示装置の表示画面上において親画面の中に子画面を重ね、それぞれの画面が異なる映像を表示するように、前記表示装置に映像データを出力する立体映像出力装置であって、前記子画面に表示される立体映像を表示するための初期子映像データに設定される複数の立体感が与えられたとき、前記複数の立体感の各々が設定された前記初期子映像データである複数の子映像データを前記表示装置に出力することによって、前記表示画面上において前記複数の子映像データの各々を利用する複数の立体子映像を表示させる表示制御手段を備えている。
【００２０】
上記の立体映像出力装置は、表示装置の表示画面上において親画面の中に子画面を重ね、それぞれの画面が異なる映像を表示するように、表示装置に映像データ（全体映像データ）を出力する立体映像出力装置である。すなわち、上記の立体映像出力装置は、ピクチャーインピクチャー機能を実現する立体映像出力装置である。
【００２１】
上記の立体映像出力装置では、複数の立体感の各々が設定された初期子映像データである複数の子映像データの各々を利用する複数の立体子映像を表示画面に表示させることができる。
【００２２】
このため、この表示画面を視聴する視聴者は、異なる立体感を持つ複数の立体子映像を比較しつつ、視聴することができる。
【００２３】
したがって、１つの画面の中に小さな画面を表示させ、その小さな画面上に立体映像を表示させる場合において、異なる立体感を用いた子映像を視聴者に視聴させ、それらを視聴者に比較させることによって、適切な立体感を用いた子映像を出力することができる。
【００２４】
前記初期子映像データに予め設定された初期立体感を所定の増減幅により増減させ、前記初期立体感を変更する立体感変更手段をさらに備え、前記表示制御手段は、前記初期子映像データと、前記初期立体感から変更された第２次立体感が設定された前記初期子映像データである第２次子映像データとを前記表示画面に出力することによって、前記表示画面において前記初期子映像データを利用する初期立体子映像と前記第２次子映像データを利用する第２次立体子映像とを表示させることが好ましい。
【００２５】
この場合、初期子映像データに与えられた初期立体感から第２次立体感に変更し、初期立体感が与えられていた初期子映像データと、第２次立体感が与えられた少なくとも１つの第２次子映像データとを表示画面に出力する。初期子映像データと第２次子映像データとは立体感が異なるのみであり、それぞれのコンテンツは同一のものである。
【００２６】
そして、初期子映像データを利用する初期立体子映像と、第２次子映像データを利用する第２次立体子映像とを表示画面に表示させることができる。
【００２７】
このため、この表示画面を視聴する視聴者は、初期立体子映像と第２次立体子映像といった、異なる立体感を持つ子映像を比較しつつ、視聴することができる。
【００２８】
したがって、１つの画面の中に小さな画面を表示させ、その小さな画面上に立体映像を表示させる場合において、異なる立体感を用いた子映像を視聴者に視聴させ、それらを視聴者に比較させることによって、適切な立体感を用いた子映像を出力することができる。
【００２９】
前記初期子映像データは、両眼視差を用いて作成されており、前記初期立体子映像と前記第２次立体子映像とは、視聴者が前記表示画面を視聴するとき、前記表示画面上の鉛直方向に沿って、隣接するように表示されることが好ましい。
【００３０】
両眼視差を利用する立体映像技術であれば、初期立体子映像と第２次立体子映像との間において水平位置が同一であることが好ましい。水平位置が同一とは、言い換えると、初期立体映像と平面映像とは、視聴者が表示画面を視聴するとき、その表示画面上の鉛直方向に沿って、隣接するように表示されることを意味する。
【００３１】
この場合、視聴者は、初期立体子映像と第２次立体子映像との間における立体感の差異を容易に認識することが可能となる。
【００３２】
前記立体感変更手段は、前記第２次立体子映像が平面映像となるように、前記初期立体感を変更することが好ましい。
【００３３】
この場合、視聴者は、初期立体子映像と第２次立体子映像である平面映像との間における立体感の差異を、より容易に認識することが可能となる。
【００３４】
視聴者が立体映像を視聴するときに起こると想定される不具合に関する不具合情報を予め記憶する不具合情報記憶部と、前記表示画面上に表示された前記初期立体子映像および前記第２次立体子映像を視聴する視聴者から視聴に不具合が有るという指示が入力されると、前記不具合情報記憶部から前記不具合情報を取得する不具合情報取得手段とをさらに備え、前記表示制御手段はさらに、前記不具合情報取得手段によって取得された前記不具合情報を前記表示画面に出力することによって、当該表示画面上において前記不具合情報を表示させることが好ましい。
【００３５】
この場合、視聴者は、表示画面上に表示される不具合情報を見ることができ、その不具合の処置を行なうか否かについて判断することができる。
【００３６】
たとえば、表示される不具合を解消するために視聴者が行なうべき処置、すなわち、トラブルシューティングについてもあわせて表示すればよい。そうすることにより、視聴者は、自身がすべき処置を知ることができると共に、その処置を行なうべきか否かについて、より正確に判断することができる。
【００３７】
前記表示画面上に表示された前記初期立体子映像および少なくとも１つの前記第２次立体子映像を視聴する視聴者から、前記初期立体子映像および少なくとも１つの前記第２次立体子映像のいずれかを選択するという指示が入力されると、当該選択の対象となった立体子映像の立体感と前記視聴者に関する情報とを関連付ける関連付け手段と、前記関連付け手段によって関連付けられた前記選択の対象となった立体子映像の立体感と前記視聴者に関する情報とを一組とする関連付け情報として記憶する関連付け情報記憶部とをさらに備えていることが好ましい。
【００３８】
この場合、ある視聴者が立体映像である子映像を視聴するとき、関連付け情報記憶部に記憶されている関連付け情報を参照することによって、その視聴者に適した立体感に調節することができる。たとえば、視聴者の年齢や性別といった情報と、これまで本人やそれ以外の視聴者に関する情報に関連付けられた立体感とを基にして、その視聴者に適した立体感に調節することが可能となる。
【００３９】
前記初期子映像データが入力されると、前記関連付け情報記憶部に記憶された関連付け情報を用いて、前記初期立体子映像を調整する立体感調整手段をさらに備えていることが好ましい。
【００４０】
この場合、立体感調整手段を用いて、立体感の調整を行なうことができる。
【００４１】
前記初期子映像データには、複数の立体感が予め設定されていることが好ましい。
【００４２】
この場合、初期子映像データに予め与えられた複数の立体感の各々が与えられた複数の子映像データを表示画面に出力する。複数の子映像データは立体感が異なるのみであり、それぞれのコンテンツは同一のものである。
【００４３】
そして、各々の子映像データを利用する複数の立体子映像を表示画面に表示させることができる。
【００４４】
このため、この表示画面を視聴する視聴者は、異なる立体感を持つ複数の立体子映像を比較しつつ、視聴することができる。
【００４５】
したがって、異なる立体感を用いた子映像を視聴者に視聴させ、それらを視聴者に比較させることによって、適切な立体感を用いた子映像を出力することができる。
【００４６】
前記初期子映像データは、両眼視差を用いて作成されており、前記複数の子映像データは、視聴者が前記表示画面を視聴するとき、前記表示画面上の鉛直方向に沿って、隣接するように表示されることが好ましい。
【００４７】
両眼視差を利用する立体映像技術であれば、複数の立体映像間において水平位置が同一であることが好ましい。水平位置が同一とは、言い換えると、複数の立体映像は、視聴者が表示画面を視聴するとき、その画面上の鉛直方向に沿って、隣接するように表示されることを意味する。
【００４８】
この場合、視聴者は、複数の立体子映像間における立体感の差異を容易に認識することが可能となる。
【００４９】
前記複数の立体子映像は、平面映像を含むことが好ましい。
【００５０】
この場合、視聴者は、立体子映像と平面映像との間における立体感の差異を、より容易に認識することが可能となる。
【００５１】
視聴者が立体映像を視聴するときに起こると想定される不具合に関する不具合情報を予め記憶する不具合情報記憶部と、前記表示画面上に表示された前記複数の立体子映像を視聴する視聴者から視聴に不具合が有るという指示が入力されると、前記不具合情報記憶部から前記不具合情報を取得する不具合情報取得手段とをさらに備え、前記表示制御手段はさらに、前記不具合情報取得手段によって取得された前記不具合情報を前記表示画面に出力することによって、当該表示画面上において前記不具合情報を表示させることが好ましい。
【００５２】
この場合、視聴者は、表示画面上に表示される不具合情報を見ることができ、その不具合の処置を行なうか否かについて判断することができる。
【００５３】
たとえば、表示される不具合を解消するために視聴者が行なうべき処置、すなわち、トラブルシューティングについてもあわせて表示すればよい。そうすることにより、視聴者は、自身がすべき処置を知ることができると共に、その処置を行なうべきか否かについて、より正確に判断することができる。
【００５４】
前記表示画面上に表示された前記複数の立体子映像を視聴する視聴者から、前記複数の立体子映像のいずれかを選択するという指示が入力されると、当該選択の対象となった立体子映像の立体感と前記視聴者に関する情報とを関連付ける関連付け手段と、前記関連付け手段によって関連付けられた前記選択の対象となった立体子映像の立体感と前記視聴者に関する情報とを一組とする関連付け情報として記憶する関連付け情報記憶部とをさらに備えていることが好ましい。
【００５５】
この場合、ある視聴者が立体映像である子映像を視聴するとき、関連付け情報記憶部に記憶されている関連付け情報を参照することによって、その視聴者に適した立体感に調節することができる。たとえば、視聴者の年齢や性別といった情報と、これまで本人やそれ以外の視聴者に関する情報に関連付けられた立体感とを基にして、その視聴者に適した立体感に調節することが可能となる。
【００５６】
前記初期子映像データが入力されると、前記関連付け情報記憶部に記憶された関連付け情報を用いて、前記初期子映像データを利用する立体子映像を調整する立体感調整手段をさらに備えていることが好ましい。
【００５７】
この場合、立体感調整手段を用いて、立体感の調整を行なうことができる。
【００５８】
前記映像データのうちから前記初期子映像データを検出する子映像検出手段をさらに備えていることが好ましい。
【００５９】
映像データは、親画面に表示される親映像のためのデータと、子画面に表示される子映像のためのデータ（初期子映像データ）と、を含んでいる。たとえば、全体映像データに含まれる親映像のためのデータおよび初期子映像データにはそれぞれ、異なる識別子が付与されるのが通常である。
【００６０】
子映像検出手段は、そのような識別子を用いて、全体映像データに含まれている初期子映像データを検出することができる。
【００６１】
前記表示制御手段は、前記表示画面上に前記複数の立体子映像を表示させるとき、前記複数の立体子映像を実際の視聴時に表示される大きさで表示することが好ましい。
【００６２】
視聴者が感じる映像の立体感は、立体子映像の大きさを変更することで変化する。上記の場合、複数の立体子映像を実際の視聴時に表示される大きさで表示するので、視聴者はより適した立体感を選択することができる。
【００６３】
前記映像データを記憶する映像データ記憶部をさらに備えていることが好ましい。
【００６４】
この場合、映像データを記憶することができる。
【００６５】
本発明に係る立体映像表示装置は、上記の立体映像出力装置と、前記複数の子映像データが入力され、前記複数の子映像データの各々を利用する複数の立体子映像を表示させる表示画面を有する表示装置をさらに備えていることが好ましい。
【００６６】
上記の立体映像表示装置では、上記の立体映像出力装置を備えた立体映像表示装置を実現することができる。
【００６７】
本発明に係る記録媒体は、上記の立体映像出力装置に用いられる前記映像データを記録したコンピュータ読み取り可能な記録媒体である。
【００６８】
上記の記録媒体は、立体映像出力装置に用いられる映像データを記録する。立体映像出力装置は、この記録媒体に記録された映像データを用いて、立体映像を出力することができる。
【００６９】
本発明に係る立体映像出力方法は、表示装置の表示画面上において親画面の中に子画面を重ね、それぞれの画面が異なる映像を表示するように、前記表示装置に映像データを出力する立体映像出力方法であって、前記子画面に表示される立体映像を表示するための初期子映像データに設定される複数の立体感が与えられたとき、前記複数の立体感の各々が設定された前記初期子映像データである複数の子映像データを前記表示装置に出力することによって、前記表示画面上において前記複数の子映像データの各々を利用する複数の立体子映像を表示させる表示工程を含む。
【００７０】
上記の立体映像出力方法は、表示装置の表示画面上において親画面の中に子画面を重ね、それぞれの画面が異なる映像を表示するように、表示装置に映像データ（全体映像データ）を出力する立体映像出力方法である。すなわち、上記の立体映像出力方法は、ピクチャーインピクチャー機能を実現する立体映像出力方法である。
【００７１】
上記の立体映像出力方法では、複数の立体感の各々が設定された初期子映像データである複数の子映像データの各々を利用する複数の立体子映像を表示画面に表示させることができる。
【００７２】
このため、この表示画面を視聴する視聴者は、異なる立体感を持つ複数の立体子映像を比較しつつ、視聴することができる。
【００７３】
したがって、１つの画面の中に小さな画面を表示させ、その小さな画面上に立体映像を表示させる場合において、異なる立体感を用いた子映像を視聴者に視聴させ、それらを視聴者に比較させることによって、適切な立体感を用いた子映像を出力することができる。
【００７４】
なお、前記立体映像出力装置は、コンピュータによって実現してもよく、この場合には、コンピュータを前記各手段として動作させることにより前記立体映像出力装置をコンピュータにて実現させる立体映像出力装置の制御プログラム、およびそれを記録したコンピュータ読み取り可能な記録媒体も、本発明の範疇に入る。
【発明の効果】
【００７５】
本発明の立体映像出力装置は、以上のように、表示装置の表示画面上において親画面の中に子画面を重ね、それぞれの画面が異なる映像を表示するように、前記表示装置に映像データを出力する立体映像出力装置であって、前記子画面に表示される立体映像を表示するための初期子映像データに設定される複数の立体感が与えられたとき、前記複数の立体感の各々が設定された前記初期子映像データである複数の子映像データを前記表示装置に出力することによって、前記表示画面上において前記複数の子映像データの各々を利用する複数の立体子映像を表示させる表示制御手段を備えていることを特徴とする。
【００７６】
本発明に係る立体映像出力方法は、以上のように、表示装置の表示画面上において親画面の中に子画面を重ね、それぞれの画面が異なる映像を表示するように、前記表示装置に映像データを出力する立体映像出力方法であって、前記子画面に表示される立体映像を表示するための初期子映像データに設定される複数の立体感が与えられたとき、前記複数の立体感の各々が設定された前記初期子映像データである複数の子映像データを前記表示装置に出力することによって、前記表示画面上において前記複数の子映像データの各々を利用する複数の立体子映像を表示させる表示工程を含むことを特徴とする。
【００７７】
それゆえ、異なる立体感を用いた映像を視聴者に視聴させ、それらを視聴者に比較させることによって、適切な立体感を用いた映像を出力することができるという効果を奏する。
【図面の簡単な説明】
【００７８】
【図１】本発明の一実施形態に係る立体映像出力装置の概略構成を示すブロック図である。
【図２】立体感を説明するための模式図である。
【図３】上記立体映像出力装置の動作を説明するための模式図であり、表示装置の画面を表わすものである。
【図４】上記立体映像出力装置の動作を説明するための模式図であり、表示装置の画面を表わすものである。
【図５】上記立体映像出力装置の動作を説明するための模式図であり、表示装置の画面を表わすものである。
【図６】上記立体映像出力装置の動作を示すフローチャートである。
【図７】本発明の他の実施形態に係る立体映像出力装置の概略構成を示すブロック図である。
【図８】上記立体映像出力装置の動作を説明するための模式図であり、表示装置の画面を表わすものである。
【図９】上記立体映像出力装置の動作を説明するための模式図であり、表示装置の画面を表わすものである。
【図１０】上記立体映像出力装置の動作を説明するための模式図であり、表示装置の画面を表わすものである。
【図１１】上記立体映像出力装置の動作を説明するための模式図であり、表示装置の画面を表わすものである。
【図１２】上記立体映像出力装置の動作を説明するための模式図であり、表示装置の画面を表わすものである。
【図１３】上記立体映像出力装置の動作を説明するための模式図であり、表示装置の画面を表わすものである。
【図１４】上記立体映像出力装置の動作を示すフローチャートである。
【発明を実施するための形態】
【００７９】
〔実施の形態１〕
本発明の一実施形態について図１〜図６に基づいて説明すれば、以下の通りである。
【００８０】
図１は、本発明の実施の形態１に係る立体映像出力装置１０の概略構成を示すブロック図である。立体映像出力装置１０は、立体映像を視聴者に表示する立体映像表示装置１００に搭載されている。立体映像表示装置１００は、立体映像出力装置１０が出力する立体映像を視聴者に表示する。
【００８１】
もちろん、立体映像出力装置１０の搭載は、立体映像表示装置１００のような立体映像表示装置に限定されるものでは無く、たとえば、立体映像を記録したり、再生したりする記録再生装置に搭載されてもよい。立体映像出力装置１０が記録再生装置に搭載される場合であれば、立体映像出力装置１０は、ＢＤ（Blu-Ray(登録商標) Disc）やＤＶＤ（Digital Versatile Disc）、ＨＤＤ（Hard Disc Drive）といった記録媒体に記録された映像データを用いて、立体映像を出力すればよい。
【００８２】
さらに、立体映像出力装置１０およびそれを搭載する立体映像表示装置１００は、ピクチャーインピクチャーと呼ばれる表示技術を実現可能となっている。このピクチャーインピクチャーとは、背景技術で述べたように、１つの大きな画面の中に小さな画面を重ねて、別の内容を表示する方法のことをいう。たとえば、テレビの画面において、あるチャンネルの映像を映す画面の隅に小さな画面を重ねて、別のチャンネルの映像を表示したり、パソコンのデスクトップ画面の隅にテレビの映像を小さく表示したりすることである。
【００８３】
以下、大きな画面の中に小さな画面を重ねて表示する場合における、大きな画面を「親画面」、「親画面」上に表示される映像を「親映像」とそれぞれ呼び、小さな画面を「子画面」、「子画面」上に表示される映像を「子映像」とそれぞれ呼ぶことにする。
【００８４】
立体映像出力装置１０は、子画面に立体映像である子映像を表示する場合において、親画面上で異なる立体感を用いた子映像を視聴者に視聴させ、それらを視聴者に比較させることによって、適切な立体感を用いた立体映像を出力するものである。
【００８５】
（立体映像表示装置１００）
立体映像表示装置１００は、図１に示すように、映像データ記憶装置（映像データ記憶部）１０１と、表示装置１０２と、操作装置１０３と、を備えている。
【００８６】
（映像データ記憶装置１０１）
映像データ記憶装置１０１は、立体映像表示装置１００が立体映像を表示する際に必要となる映像データを記憶する。映像データ記憶装置１０１は、インターネットや地上デジタル放送を介して、映像データを取得し、記憶する。立体映像表示装置１００は、上で述べたような記録媒体を再生可能であれば、その記録媒体から読み取った映像データを記憶してもよい。
【００８７】
この映像データは、上で述べた親映像のためのデータと子映像のためのデータとが多重化されたデータである。この親映像のためのデータおよび、子映像のためのデータは、両眼視差を利用する立体映像技術においては、利用者（ここでは、視聴者）が右目のみで視聴する右目用映像のためのデータと、左目のみで視聴する左目用映像のためのデータとを含んでいる。つまり、それぞれは、右目用映像と左目用映像とを一組とする統合映像データとなる。なお、以下では、親映像のためのデータと子映像のためのデータとを合わせて「全体映像データ」と呼ぶ場合がある。
【００８８】
もちろん、親映像、子映像のいずれもが立体映像である必要は無い。たとえば、子映像のみが立体映像であり、親映像は平面映像であっても構わない。本発明は、子映像が立体映像であればよい。なお、以下では、親映像のためのデータ、子映像のためのデータのいずれもが立体映像を表示するためのデータである場合を例として説明する。また、後述するように、右目用映像のためのデータおよび左目用映像のためのデータのうちいずれか一方のみを利用することにより、平面映像を表示させることが可能である。
【００８９】
また、映像データ記憶装置１０１は、たとえば、ハードディスクドライブ（以下、「ＨＤＤ」と記す）などの、大容量化が可能な磁気ディスク装置を用いることができる。
【００９０】
（表示装置１０２）
表示装置１０２は、利用者（ここでは、視聴者）に立体映像を表示する。もちろん、表示装置１０２は、平面映像も表示可能である。表示装置１０２は、ＬＣＤ（液晶ディスプレイ）や、ＰＤＰ（プラズマディスプレイパネル）、ＣＲＴ（cathode-ray tube）ディスプレイを用いることができる。
【００９１】
また、表示装置１０２は、視聴者が立体視するために装着するシャッター眼鏡（たとえば、液晶シャッター眼鏡）４１との間における無線通信が可能となっている。表示装置１０２は、一定の周期で右目用映像と左目用映像とを交互に切り替えながら表示する。シャッター眼鏡４１は、表示装置１０２と無線通信し、右目用映像と左目用映像との切り替わりのタイミングと同期して、その右目用液晶シャッターと左目用液晶シャッターの各々を、光透過状態と光遮断状態とに交互に切り替える。
【００９２】
視聴者は、このようなシャッター眼鏡４１を通し、右目用映像および左目用映像をそれぞれ別の目で別々に見ることによって、それらの映像を基に立体視を行なうことが可能となる。
【００９３】
もちろん、表示装置１０２は、シャッター眼鏡４１との間において有線通信を行なってもよいし、立体映像表示装置１００が別途、シャッター眼鏡４１と無線通信や有線通信可能な通信装置を備えていても構わない。
【００９４】
さらに、表示装置１０２は、自身が有する画面上に、上で述べた親映像および子映像を同時に表示可能である。たとえば、視聴者が、操作装置１０３を用いて、ピクチャーインピクチャー表示を指示すると、その指示に基づき、表示装置１０２は自身の画面上に親映像と子映像を表示させる。
【００９５】
（操作装置１０３）
操作装置１０３は、視聴者からの各種の指示が入力されると、その指示内容を立体映像表示装置１００の各部や、立体映像出力装置１０に出力する。操作装置１０３は、たとえば、入力ボタン、切り替えスイッチなどである。また、テンキー、キーボードなどを備えていてもよい。
【００９６】
（立体映像出力装置１０）
立体映像出力装置１０は、図１に示すように、全体映像データを取得する映像データ取得部１１と、立体映像の立体感を変更する立体感変更部（立体感変更手段）１２と、異なる立体感を持つ立体映像を表示する際における配置を構成する画面構成部１３と、立体映像の表示を制御する表示制御部（表示制御手段）１４と、立体映像表示装置１００に関する想定される不具合やそれら不具合の各トラブルシューティングを含む不具合情報を記憶する不具合情報記憶部１５と、不具合情報記憶部１５に記憶された不具合情報を取得する不具合情報取得部（不具合情報取得手段）１６と、子映像を検出するための子映像検出部１７（子映像検出手段）と、を備えている。
【００９７】
（映像データ取得部１１）
映像データ取得部１１は、立体映像表示装置１００の映像データ記憶装置１０１に記憶されている全体映像データを取得する。視聴者が操作装置１０３を用いて、後述する立体感の調整を立体映像表示装置１００に指示すると、映像データ取得部１１はその調整指示を受け、映像データ記憶装置１０１からの全体映像データの取得を実行する。
【００９８】
また、映像データ取得部１１は、映像データ記憶装置１０１から取得した全体映像データを立体感変更部１２、画面構成部１３および子映像検出部１７に出力する。
【００９９】
（立体感変更部１２）
立体感変更部１２は、映像データ取得部１１から全体映像データを受け取る一方、子映像検出部１７から子映像検出結果を受け取る。
【０１００】
上述したように、映像データ記憶装置１０１に記憶されている全体映像データは、親映像のためのデータと、子映像のためのデータ（以下、「初期子映像データ」と記す）とを含んである。立体感変更部１２は、子映像検出部１７の検出結果を基に、映像データ取得部１１から受け取った全体映像データに含まれる初期子映像データを識別する。
【０１０１】
立体感変更部１２は、初期子映像データを識別した後、その初期子映像データに与えられている立体感を検出する。この立体感（以下、「初期立体感」と記す）は、初期子映像データを作成する作成者がその初期子映像データを作成する際に設定する立体感のことであり、通常、立体映像出力装置１０の表示制御部１４は、この初期立体感をそのまま用いて、初期子映像データを出力する。
【０１０２】
ここで、上で述べた立体感について、図２を用いて説明する。図２は、立体感を説明するための模式図である。上述したように、立体映像技術は、基本的には左右の目の間隔によって生じる両眼視差を利用するものである。
【０１０３】
図２（ａ）に示すように、右目用映像と左目用映像とを一致させた場合、２つの映像間においては、お互いに対応する点同士が水平方向に所定の量ｄ（以下、「水平方向ずれ量ｄ」と記す）だけずれるよう、２つの映像が作成されている。言い方を変えると、図２（ｂ）に示すように、右目用映像と左目用映像とを水平方向ずらし量ｄだけずれるように並べた場合、２つの映像間においては、お互いに対応する点同士が一致するよう、２つの映像が作成されている。
【０１０４】
本発明においては、立体感を表わす指標として、この水平方向ずれ量ｄの値を用いている。立体映像出力装置１０は、初期立体感に対応する水平方向ずれ量ｄを増減させることによって、立体感を初期立体感から変化させる。そうすることによって、立体映像出力装置１０は、初期立体感とは異なる立体感を持つ立体映像を出力することが可能となる。
【０１０５】
もちろん、立体感を表わす指標は水平方向ずれ量に限られるものではなく、たとえば、右目用映像および左目用映像の大きさを用いることもできる。要は、初期立体感とは異なる立体感を表わすことができる指標であればどのようなものであっても構わない。
【０１０６】
なお、本発明においては、２次元的な映像である平面映像は、上記の右目用映像または左目用映像のいずれか一方を利用するものとする。立体映像出力装置１０はそのように初期子映像データを用い、平面映像もあわせて出力することが可能となる。
【０１０７】
立体感変更部１２は、初期立体感の水平方向ずれ量ｄを基準とし、どのくらいそのずれ量ｄを増減させるかについて、所定の増減幅が予め設定されている。この所定の増減幅は、たとえば、減少させる場合であれば、水平方向ずれ量ｄを０．５倍とし、一方、増大させる場合であれば、水平方向ずれ量ｄを１．５倍とする、といったように設定されている。
【０１０８】
もちろん、上記の「０．５倍」、「１．５倍」はあくまでも一例に過ぎず、要は、上記の所定の増減幅は、視聴者が初期立体感を用いた立体映像と、上記のように立体感が変更された立体映像との間における、立体感の差異を認識することができる程度の増減幅であればよい。なお、いうまでも無いが、立体映像と平面映像との間における立体感の差異については、視聴者は容易に認識することが可能である。
【０１０９】
このようにして立体感変更部１２は、所定の増減幅に沿って、初期立体感の水平方向ずれ量ｄを増減させ、変更する。そして、立体感変更部１２は、水平方向ずれ量が所定の増減幅だけ増減された初期子映像データ（以下、「第２次子映像データ」と記す）を画面構成部１３に出力する。なお、立体感変更部１２は、子映像検出部１７から受け取った子映像検出結果もあわせて、画面構成部１３に出力しておけばよい。
【０１１０】
（画面構成部１３）
画面構成部１３は、映像データ取得部１１から全体映像データを受け取ると共に、立体感変更部１２から第２次子映像データを受け取る。さらに、画面構成部１３は、立体感変更部１２から子映像検出部１７の子映像検出結果を取得し、その結果を基に、全体映像データに含まれる初期子映像データを識別する。
【０１１１】
画面構成部１３は、第２次子映像データを受け取り、初期子映像データを識別すると、初期子映像データおよび第２次子映像データのそれぞれを利用する、異なる立体感を持つ複数の子映像（ここでは、平面映像もふくむ）を、立体映像表示装置１００の表示装置１０２の画面（表示画面）上において、どのように配置するかについて構成する。なお、初期子映像データを利用する立体映像を「初期立体子映像」と呼び、第２次子映像データを利用する立体映像を「第２次立体子映像」と呼ぶ。
【０１１２】
なお、本実施形態では、立体感変更部１２が初期子映像データに与えられている初期立体感を上述したように変更し、画面構成部１３は映像データ取得部１１から初期子映像データを受け取ると共に、立体感変更部１２から第２次子映像データを受け取っているが、本発明はこれに限られるものではない。たとえば、初期子映像データに複数の立体感が予め与えられていてもよい。画面構成部１３は映像データ取得部１１から、複数の立体感の各々が設定された初期子映像データである複数の子映像データを受け取ることになる。この場合、立体感変更部１２による上述した初期立体感の変更は不要となる。
【０１１３】
たとえば、初期子映像データが立体感の異なる２種類のテストモード映像（ここでは、平面映像と立体映像）であればよい。後述するように、視聴者は、テストモード映像を比較することによって、３Ｄメガネと、テレビまたはレコーダの動作に不具合がないかを、３Ｄコンテンツを視聴する前に確認することが可能となる。
【０１１４】
具体的には、画面構成部１３は、表示装置１０２の画面上における、初期立体子映像、および、少なくとも１つの第２次立体子映像のそれぞれについての位置および大きさ（ここでは、横幅と縦幅）を決めればよい。たとえば、上述した両眼視差を利用する立体映像技術であれば、各立体映像の水平位置と横幅とが同一であることが好ましい。水平位置が同一とは、言い換えると、初期立体子映像と第２次立体子映像とは、視聴者が表示装置１０２の画面を視聴するとき、その画面上の鉛直方向に沿って、隣接するように表示されることを意味する。そうすれば、視聴者は、初期立体子映像と第２次立体子映像との間における立体感の差異を容易に認識することが可能となる。
【０１１５】
もちろん、このような画面構成は単なる一例に過ぎず、要は、視聴者が上記の立体感の差異を認識することができれば、どのような構成であっても構わない。画面構成部１３は、初期子映像データおよび第２次子映像データが用いる立体映像技術に応じ、画面構成すればよい。
【０１１６】
画面構成部１３は、このようにして構成した画面構成を示す画面構成情報を、上記の全体映像データ（初期子映像データを含む）および第２次子映像データと共に、表示制御部１４に出力する。
【０１１７】
（表示制御部１４）
表示制御部１４は、通常、立体映像表示装置１００の表示装置１０２に全体映像データを出力する。表示制御部１４は、その全体映像データの取得先として、立体映像表示装置１００の映像データ記憶装置１０１と、画面構成部１３と、を持っている。
【０１１８】
また、表示制御部１４は、上述したピクチャーインピクチャー機能を有している。具体的には、表示制御部１４は、親映像のためのデータと子映像のためのデータとが多重化された全体映像データを受け取ると、表示装置１０２の画面上において親画面の中に子画面を重ね、それぞれの画面が異なる映像、すなわち、親映像および子映像を表示するように、表示装置１０２に全体映像データを出力するものである。
【０１１９】
さらに、表示制御部１４は、映像データ取得部１１が映像データ記憶装置１０１からの全体映像データの取得を実行しない限り、映像データ記憶装置１０１から直接取得する。
【０１２０】
この場合、子映像に関しては、表示制御部１４は、初期立体感をそのまま用いる、上記の初期子映像データを表示装置１０２に出力することになる。表示制御部１４は、初期立体感を利用する初期立体子映像が表示されるよう、表示装置１０２による映像表示処理を制御する。
【０１２１】
一方、表示制御部１４は、映像データ取得部１１が映像データ記憶装置１０１からの全体映像データの取得を実行した場合、映像データ記憶装置１０１から全体映像データを取得せず、その代わりに、画面構成部１３から、全体映像データと、第２次子映像データと、画面構成情報とを受け取る。
【０１２２】
この場合、子映像に関しては、表示制御部１４は、画面構成部１３から受け取った画面構成情報が示す画面構成に沿って、初期立体子映像と、第２次立体感を利用する第２次立体子映像とが同時に表示されるよう、表示装置１０２による映像表示処理を制御する。
【０１２３】
なお、いずれの場合においても、親映像に関しては、表示制御部１４は、予め与えられている立体感をそのまま用い、親映像のためのデータを表示装置１０２に出力する。表示制御部１４は、予め設定されている立体感を利用する親映像が表示されるよう、表示装置１０２による映像表示処理を制御する。
【０１２４】
（不具合情報記憶部１５）
不具合情報記憶部１５は、立体映像表示装置１００および立体映像出力装置１０の各々に関し、視聴者がシャッター眼鏡４１を装着し、表示装置１０２に表示される子映像を視聴する際に起こり得る、複数の不具合の内容を示す不具合情報を予め記憶している。特に、この不具合情報は、立体映像表示装置１００および立体映像出力装置１０の各々の想定される不具合のみならず、それぞれを解消するために視聴者が行なうべき処置、すなわち、トラブルシューティングについてもあわせて含んでいることが好ましい。
【０１２５】
このような不具合情報は、不具合情報取得部１６により、不具合情報記憶部１５から読み取られ、表示制御部１４に送られることになる。
【０１２６】
不具合情報は、たとえば、不具合の内容としては、「メガネ（ここでは、シャッター眼鏡４１）の電池切れ」や「テレビ（ここでは、表示装置１０２）の同期ずれ」といったものが挙げられる。また、それらのトラブルシューティングとして、「メガネの電池を交換してください。」や「テレビの背面にある制御パネル上で表示状態を調節してください。」といったものが挙げられる。
【０１２７】
（不具合情報取得部１６）
不具合情報取得部１６は、不具合情報記憶部１５に記憶されている不具合情報を取得する。視聴者が操作装置１０３を用いて、後述する「不具合あり」を立体映像表示装置１００に指示すると、不具合情報取得部１６はその「不具合あり」指示を受け、不具合情報記憶部１５からの不具合情報の取得を実行する。
【０１２８】
また、不具合情報取得部１６は、不具合情報記憶部１５から取得した不具合情報を表示制御部１４に出力し、表示制御部１４を用いて、その不具合情報を表示装置１０２に表示させる。視聴者は、このようにして表示装置１０２に表示される不具合情報を視聴し、それによって、トラブルシューティングを行なうことが可能となる。
【０１２９】
なお、表示制御部１４は、不具合情報取得部１６から不具合情報を受け取ると、それ以前まで表示装置１０２が表示していた映像に代えて、上記の不具合情報を表示装置１０２に表示させることになる。
【０１３０】
（子映像検出部１７）
子映像検出部１７は、映像データ取得部１１から全体映像データを受け取ると、その全体映像データに含まれる初期子映像データを検出する。
【０１３１】
上述したように、映像データ記憶装置１０１に記憶されている全体映像データには、上記の初期子映像データと、親映像のためのデータとが含まれている。このため、後述するように、子映像の立体感の調節を行なう場合、子映像のためのデータ、すなわち、初期子映像データを全体映像データのうちから識別しなければならない。
【０１３２】
このため、子映像検出部１７は、全体映像データに含まれる初期子映像データを検出し、その検出結果を立体感変更部１２に出力する。
【０１３３】
なお、全体映像データに含まれる親映像のためのデータおよび初期子映像データにはそれぞれ、異なる識別子が付与されるのが通常である。たとえば、子映像検出部１７は、そのような識別子を用いて、全体映像データに含まれている初期子映像データを検出することができる。
【０１３４】
（立体映像出力装置１０の動作）
次に、図３〜図６を用いて、立体映像出力装置１０の動作、すなわち、立体映像出力方法の処理手順について説明する。図３および図５は、立体映像出力装置１０の動作を説明するための模式図であり、それぞれ、表示装置１０２の画面を表わしている。図６は、立体映像出力装置１０の動作を示すフローチャートである。
【０１３５】
なお、以下に述べる処理の開始前においては、立体映像出力装置１０は、表示制御部１４を用いて、映像データ記憶装置１０１に記憶されている全体映像データをそのまま、立体映像表示装置１００の表示装置１０２に出力している。そして、視聴者はシャッター眼鏡４１を装着し、表示装置１０２に表示されている初期立体子映像を視聴しているものとする。もちろん、視聴者は、表示装置１０２に表示されている親映像も視聴していることになるが、以下では、子映像に着目し、親映像に関しては特に必要が無い限り、その説明は行なわない。
【０１３６】
図６に示すように、先ず、視聴者は、上記の初期立体子映像を視聴しているとき、立体映像表示装置１００の操作装置１０３を用いて、その初期立体子映像の立体感の調整指示を入力する（ステップＳ１０１）。本ステップＳ１０１においては、たとえば、視聴者は、立体映像表示装置１００を用いて子映像の視聴を開始する場合、その開始にあわせて上記の調整指示を入力してもよい。また、所定の視聴時間の経過後、上記の調整指示を行なうようにしてもよい。要は、視聴者が必要と考えるときに上記の調整指示を行なうようにしてもよい。
【０１３７】
次に、操作装置１０３を介して視聴者からの調整指示が入力されると、その調整指示が立体映像出力装置１０の映像データ取得部１１に送られる。映像データ取得部１１は、その調整指示を受け取ると、立体映像表示装置１００の映像データ記憶装置１０１に記憶されている全体映像データを取得する（ステップＳ１０２）。
【０１３８】
本ステップＳ１０２においては、上記の調整指示は表示制御部１４にも同時に送られる。表示制御部１４は、この調整指示を受け取ると、たとえば、それ以前までの表示装置１０２への全体映像データの出力を停止し、表示制御部１４からの新たな出力を待機することになる。
【０１３９】
また、映像データ取得部１１は、映像データ記憶装置１０１から取得した全体映像データを立体感変更部１２、画面構成部１３および子映像検出部１７に出力する。
【０１４０】
次に、子映像検出部１７は、映像データ取得部１１から全体映像データを受け取ると、その全体映像データに含まれている初期子映像データを検出する（ステップＳ１０３）。子映像検出部１７は、その検出結果を立体感変更部１２に出力する。
【０１４１】
次に、立体感変更部１２は、映像データ取得部１１から全体映像データを受け取る一方、子映像検出部１７から子映像検出結果を受け取る。そして、立体感変更部１２は、子映像検出結果を基に、全体映像データのうちから初期子映像データを特定し、その初期子映像データに与えられている立体感（初期立体感）を検出し、変更する（ステップＳ１０４）。
【０１４２】
本ステップＳ１０４においては、立体感はたとえば、上で述べた水平方向ずれ量という指標を用いて表わされている。立体感変更部１２は、初期子映像データの初期立体感の水平方向ずれ量を検出すると、所定の増減幅に沿って、初期立体感の水平方向ずれ量を増減させ、変更する。
【０１４３】
特に、本ステップＳ１０４においては、立体感変更部１２は、初期子映像データに含まれる、右目用映像のためのデータおよび左目用映像のためのデータのうちいずれか一方を選択する。この選択は立体感の変更を意味する。右目用映像のためのデータおよび左目用映像のためのデータは、それぞれ単体では平面映像となるものであり、このことは立体感がゼロである、ということができる。したがって、この場合でも、立体感変更部１２は、初期立体感を変更したといえる。以下では、立体感変更部１２は、初期子映像データに含まれる左目用映像のためのデータを選択したものとして説明する。
【０１４４】
立体感変更部１２は、このようにして初期立体感から変更された第２次立体感を持つ第２次子映像データを画面構成部１３に出力する。また、立体感変更部１２は、子映像検出部１７から受け取った子映像検出結果を画面構成部１３に転送する。
【０１４５】
次に、画面構成部１３は、映像データ取得部１１から全体映像データ（初期子映像データを含む）を受け取ると共に、立体感変更部１２から第２次子映像データを受け取る。画面構成部１３は、初期子映像データおよび少なくとも１つの第２次子映像データのそれぞれを利用する、異なる立体感を持つ複数の子映像を、立体映像表示装置１００の表示装置１０２の画面上において、どのように配置するかについて構成する（ステップＳ１０５）。
【０１４６】
特に、本ステップＳ１０５においては、画面構成部１３は、上述したように、立体感変更部１２からは左目用映像のためのデータを第２次子映像データとして受け取ることになり、その結果、第２次立体子映像は平面映像となる。画面構成部１３は、この平面映像と初期立体子映像との表示装置１０２の画面上における配置、すなわち、それぞれの位置および大きさ（縦方向および横方向）を構成することになる。
【０１４７】
上述したように、両眼視差を利用する立体映像技術であれば、初期立体子映像と平面映像との間において水平位置と横幅とが同一であることが好ましい。水平位置が同一とは、言い換えると、初期立体子映像と平面映像とは、視聴者が表示装置１０２の画面を視聴するとき、その画面上の鉛直方向に沿って、隣接するように表示されることを意味する。そうすれば、視聴者は、初期立体子映像と平面映像との間における立体感の差異を容易に認識することが可能となる。
【０１４８】
たとえば、図３（ａ）に示すように、表示装置１０２の画面１５０上に、親映像１５１および、子映像（初期立体子映像）１５２が表示される場合を考えてみる。この場合、図３（ｂ）に示すように、表示装置１０２の画面１５０の一部の領域２００上に、平面映像２０１と初期立体子映像２０２とを表示させる。なお、平面映像２０１と初期立体子映像２０２とを表示させる場合、それぞれの大きさは平面映像２０１を表示させる前の初期立体子映像１５２の大きさを同じであることが好ましい。そうすることにより、図３（ａ）に示すように、初期立体子映像１５２のみを子映像として視聴するという実際の視聴環境に近い環境の下、視聴者は平面映像２０１と初期立体子映像２０２との比較を行なうことができるからである。
【０１４９】
なお、図面を分り易くするため、図３（ａ）の初期立体子映像１５２と、図３（ｂ）の初期立体子映像２０２とは、それらの大きさが２つの図面上で異なるように描かれている。すなわち、図４に示すように、図３（ａ）の初期立体子映像１５２と大きさが同じである、平面映像２０１と初期立体子映像２０２とがそれぞれ、表示装置１０２の画面１５０上に表示されることになる。
【０１５０】
また、図３（ｂ）に示すように、画面構成部１３は、一部の領域２００上における上記の２つの映像の位置および大きさを構成すると共に、視聴者に対し、不具合があるか否かを問い合わせするための問い合わせダイアログボックス２０３と、不具合があるか否かについての指示を視聴者が操作装置１０３を用いて入力するための指示入力ダイアログボックス２０４とのそれぞれについても、位置および大きさも構成する。問い合わせダイアログボックス２０３および指示入力ダイアログボックス２０４は、平面映像２０１および初期立体子映像２０２と共に、表示装置１０２の画面１５０の一部の領域２００上に表示されることになる。
【０１５１】
画面構成部１３は、図３（ｂ）に示すような画面構成を示す画面構成情報を、上記の全体映像データ（初期子映像データを含む）および、初期子映像データに含まれていた左目用映像のためのデータと共に、表示制御部１４に出力する。
【０１５２】
次に、表示制御部１４は、画面構成部１３から受け取った画面構成情報が示す画面構成に沿って、平面映像２０１と初期立体子映像２０２とが同時に表示されるよう、表示装置１０２による映像表示処理を制御する。視聴者は、表示装置１０２の画面のうち、図３（ｂ）に示した一部の領域２００を視聴し、平面映像２０１と初期立体子映像２０２とを比較する。そして、視聴者は、その比較を行なうことによって、たとえば、初期立体子映像２０２の中において像が２重に見えたり、立体像が感じにくかったりするといった、不具合が有るか無いかについて、判断する（ステップＳ１０６）。
【０１５３】
従来であれば、初期立体子映像２０２のみを視聴していても、視聴者は、わずかな立体感の映像や、コンテンツ自身に映像のぼけが有っても、その不具合を認識することが難しかった。
【０１５４】
これに対し、立体映像出力装置１０によれば、上述したように、視聴者に初期立体子映像とは異なる立体感を用いた第２次立体子映像（ここでは、平面映像）とを比較させることによって、上記のような不具合を容易に認識することができる。そうすることにより、適切な立体感を用いた映像を出力することができる。したがって、視聴者に適切な立体感を用いた映像を視聴させることができる。
【０１５５】
たとえば、図３（ｂ）において、視聴者が、問い合わせダイアログボックス２０３に対し、指示入力ダイアログボックス２０４を用いて、「不具合なし」の指示を入力すると（ステップＳ１０６の「無し」）、表示制御部１４は、その指示入力を受け取り、再び、映像データ記憶装置１０１から全体映像データを直接取得し、表示装置１０２に出力する。そして、表示制御部１４は、子映像に関し、初期立体感を利用する初期立体子映像が表示されるよう、表示装置１０２による映像表示処理を制御する（ステップＳ１０７）。
【０１５６】
一方、視聴者が、問い合わせダイアログボックス２０３に対し、指示入力ダイアログボックス２０４を用いて、「不具合あり」の指示を入力すると（ステップＳ１０６の「有り」）、不具合情報取得部１６は、その指示入力を受け取り、不具合情報記憶部１５から不具合情報を取得する（ステップＳ１０８）。
【０１５７】
本ステップＳ１０８においては、不具合情報取得部１６は、その不具合情報を表示制御部１４に出力する。そして、表示制御部１４は、その不具合情報が表示されるよう、表示装置１０２による映像表示処理を制御する。
【０１５８】
たとえば、図５に示すように、表示装置１０２の画面のうち、その一部の領域２００ａ上に不具合情報を提示するための不具合情報ダイアログボックス２０５を表示させることができる。この不具合情報ダイアログボックス２０５では、上述したような不具合の内容である、「メガネの電池切れ」２０６や「テレビの不具合」２０７といったものが列挙されている。
【０１５９】
そして、視聴者は、この不具合情報ダイアログボックス２０５に対し、いずれかの不具合に対するトラブルシューティングを行なう場合であれば、たとえば、操作装置１０３を用いて、トラブルシューティング対象の不具合に対し、「トラブルシューティング実行」の指示を入力する（ステップＳ１０９の「有り」）。
【０１６０】
この場合、「トラブルシューティング実行」の指示対象の不具合を解消するためのトラブルシューティングが表示されるようにすればよい。上述したように、「メガネの電池を交換してください。」や「テレビの背面にある制御パネル上で表示状態を調節してください。」といったものである。
【０１６１】
また、表示制御部１４は、その指示入力を受け取ると、たとえば、それ以前までの表示装置１０２への出力を停止し、表示装置１０２による映像表示処理を待機する（ステップＳ１１１）。この待機期間においては、視聴者は、上述したトラブルシューティングを実行することになる。
【０１６２】
一方、視聴者が、この不具合情報ダイアログボックス２０５に対し、いずれかの不具合に対するトラブルシューティングも行なわない場合であれば、たとえば、操作装置１０３を用いて、トラブルシューティング対象の不具合に対し、「トラブルシューティング実行無し」の指示を入力する（ステップＳ１０９の「無し」）。
【０１６３】
この場合、表示制御部１４は、その指示入力を受け取ると、再び、立体映像表示装置１００の映像データ記憶装置１０１に記憶されている全体映像データを取得し、子映像に関し、初期子映像データに含まれていた左目用映像のためのデータのみを表示装置１０２に出力する。そして、表示制御部１４は、左目用映像が表示されるよう、表示装置１０２による映像表示処理を制御する（ステップＳ１１０）。
【０１６４】
このようにして立体映像出力装置１０の動作が終了する。
【０１６５】
以上のように、立体映像出力装置１０によれば、親画面の中に子画面を表示させ、その子画面上に立体映像を表示させる場合において、立体映像と平面映像とを視聴者に視聴させ、それらを視聴者に比較させることによって、その立体映像の不具合を視聴者に容易に認識させることができる。
【０１６６】
したがって、視聴者に適切な立体感を用いた映像を出力し、表示装置に表示させることができる。
【０１６７】
〔実施の形態２〕
本発明の他の実施形態について図７〜図１４に基づいて説明すれば、以下の通りである。本発明の実施の形態２では、視聴者による立体映像の立体感の調整を容易化する実施の形態について説明する。図７は、本発明の実施の形態２に係る立体映像出力装置１０ａの概略構成を示すブロック図である。上記実施の形態１の立体映像出力装置１０と同様、立体映像出力装置１０ａも、立体映像を視聴者に表示する立体映像表示装置１００ａに搭載されている。以下、上記の実施の形態１と同様の部分については、同一符号を付し、その詳細な説明は省略する。
【０１６８】
本発明の実施の形態２の立体映像出力装置１０ａと上記の実施の形態１の立体映像出力装置１０とで異なる点は、利用者情報取得部１８と、利用者情報関連付け部（関連付け手段）１９と、関連付け情報記憶部２１と、立体感調整部（立体感調整手段）２２と、を備えた点である。さらに、映像データ取得部１１に代えて映像データ取得部１１ａを、立体感変更部１２に代えて立体感変更部１２ａを、表示制御部１４に代えて表示制御部１４ａを、それぞれ、備えた点である。
【０１６９】
（立体映像出力装置１０ａ）
図７に示すように、映像データ取得部１１ａが上記の実施の形態１の映像データ取得部１１と異なる点は、立体映像表示装置１００ａの映像データ記憶装置１０１から取得する全体映像データを利用者情報関連付け部１９にも出力する点である。映像データ取得部１１ａは、利用者情報関連付け部１９への全体映像データの出力を、立体感変更部１２、画面構成部１３および子映像検出部１７への出力と共に、実行すればよい。
【０１７０】
また、立体感変更部１２ａが上記の実施の形態１の立体感変更部１２と異なる点は、少なくとも１つの第２次子映像データを利用者情報関連付け部１９にも出力する点である。立体感変更部１２ａは、利用者情報関連付け部１９への第２次子映像データの出力を、画面構成部１３への出力と共に、実行すればよい。
【０１７１】
利用者情報取得部１８は、利用者（ここでは、視聴者）に関する利用者情報を取得する。この利用者情報は、たとえば、視聴者の年齢、性別、職種、収入、趣味、視聴者が見たい映像のジャンルである。
【０１７２】
利用者情報取得部１８は、たとえば、視聴者が操作装置１０３を用いて入力する利用者情報を受け取る。この際、表示制御部１４ａは、後述するように、表示装置１０２の画面上に、視聴者が利用者情報を入力するためのダイアログボックスを表示させればよい。また、利用者情報取得部１８は、このようにして取得する利用者情報を利用者情報関連付け部１９に出力する。
【０１７３】
利用者情報関連付け部１９は、利用者情報取得部１８から利用者情報を受け取ると共に、映像データ取得部１１ａから全体映像データを、立体感変更部１２から少なくとも１つの第２次子映像データを受け取る。
【０１７４】
なお、本実施形態においても、上記の実施形態１と同様、初期子映像データに複数の立体感が予め与えられていてもよい。利用者情報関連付け部１８は映像データ取得部１１ａから、複数の立体感の各々が設定された初期子映像データである複数の子映像データを受け取ることになる。この場合、立体感変更部１２ａによる上述した初期立体感の変更は不要となる。
【０１７５】
たとえば、コンテンツメーカが、視聴者に適した立体感を選択させるために、いくつかの立体感のパターンを初期子映像データに予め与えておけばよい。
【０１７６】
後述するように、視聴者は、表示装置１０２の画面上に表示される、初期立体子映像および少なくとも１つの第２次立体子映像のうち、自身が好む映像を選択する。利用者情報関連付け部１９は、視聴者が選択した子映像の立体感と、利用者情報取得部１８から受け取った利用者情報とを関連付ける。利用者情報関連付け部１９は、このようにして関連付けた立体感と利用情報とを一組とする関連付け情報を、関連付け情報記憶部２１に記憶する。
【０１７７】
上述したように、子映像の立体感は、その指標として、水平方向ずれ量を用いることができる。この水平方向ずれ量を用いた場合、利用者情報関連付け部１９は、視聴者が選択する子映像の立体感の水平方向ずれ量と利用者情報とを関連付け、関連付け情報記憶部２１に記憶することになる。
【０１７８】
関連付け情報記憶部２１は、利用者情報関連付け部１９から関連付け情報を受け取り、記憶する。関連付け情報記憶部２１は、たとえば、関連付け情報をジャンルや視聴者の年齢別にリスト形式で記憶すればよい。そうすることにより、立体感調整部２２が関連付け情報記憶部２１に記憶されている関連付け情報を参照する際、その参照処理の効率化を図ることができる。
【０１７９】
立体感調整部２２は、映像データ記憶装置１０１から全体映像データを取得し、そのうち、初期子映像データの初期立体感を調整する。具体的には、立体感調整部２２は、たとえば、視聴者が操作装置１０３を用いて、自身の年齢や、好みのジャンルを入力すると、その入力内容を基に、関連付け情報記憶部２１に記憶されている関連付け情報を参照し、初期立体感を調整する。
【０１８０】
初期立体感が適切な立体感であれば、立体感調整部２２はそのまま初期子映像データを表示制御部１４ａに出力する。一方、初期立体感が適切なものでなければ、立体感調整部２２は、初期立体感を関連付け情報を基に、適切な立体感に調整する。そして、立体感調整部２２は、その調整された立体感を持つ初期子映像データを表示制御部１４ａに出力する。
【０１８１】
表示制御部１４ａが上記の実施の形態１の表示制御部１４と異なる点は、立体映像表示装置１００ａの映像データ記憶装置１０１に記憶されている全体映像データを、立体感調整部２２を介し、取得する点である。上述したように、表示制御部１４ａは、立体感調整部２２がそのまま初期子映像データを出力した場合、初期立体感を利用する初期立体子映像が表示されるよう、表示装置１０２による映像表示処理を制御する。
【０１８２】
一方、立体感調整部２２が、調整された立体感を持つ初期子映像データを出力した場合、その調整された立体感を利用する立体映像が表示されるよう、表示装置１０２による映像表示処理を制御する。
【０１８３】
（立体映像出力装置１０ａの動作）
次に、図８〜図１４を用いて、立体映像出力装置１０ａの動作、すなわち、立体映像出力方法の処理手順について説明する。図８〜図１３は、立体映像出力装置１０ａの動作を説明するための模式図であり、それぞれ、表示装置１０２の画面を表わしている。図１４は、立体映像出力装置１０ａの動作を示すフローチャートである。
【０１８４】
なお、以下に述べる処理の開始前においては、立体映像出力装置１０ａは、表示制御部１４ａを用いて、映像データ記憶装置１０１に記憶されている全体映像データ（初期子映像データを含む）をそのまま、立体映像表示装置１００ａの表示装置１０２に出力している。そして、視聴者はシャッター眼鏡４１を装着し、表示装置１０２に表示されている初期立体子映像を視聴しているものとする。
【０１８５】
図１４に示すように、先ず、視聴者は、上記の初期立体映像を視聴しているとき、立体映像表示装置１００ａの操作装置１０３を用いて、その初期立体子映像の立体感の調整指示を入力する（ステップＳ２０１）。本ステップＳ２０１においては、たとえば、視聴者は、立体映像表示装置１００ａを用いて子映像の視聴を開始する場合、その開始にあわせて上記の調整指示を入力してもよい。また、所定の視聴時間の経過後、上記の調整指示を行なうようにしてもよい。要は、視聴者が必要と考えるときに上記の調整指示を行なうようにしてもよい。
【０１８６】
次に、操作装置１０３を介して視聴者からの調整指示が入力されると、その調整指示が立体映像出力装置１０ａの映像データ取得部１１ａに送られる。映像データ取得部１１ａは、その調整指示を受け取ると、立体映像表示装置１００ａの映像データ記憶装置１０１に記憶されている全体映像データを取得する（ステップＳ２０２）。
【０１８７】
本ステップＳ２０２においては、上記の調整指示は表示制御部１４ａにも同時に送られる。表示制御部１４ａは、この調整指示を受け取ると、たとえば、それ以前までの表示装置１０２への全体映像データの出力を停止し、表示制御部１４ａからの新たな出力を待機することになる。
【０１８８】
また、映像データ取得部１１ａは、映像データ記憶装置１０１から取得した全体映像データを立体感変更部１２ａ、画面構成部１３、利用者情報関連付け部１９および子映像検出部１７に出力する。
【０１８９】
次に、子映像検出部１７は、映像データ取得部１１ａから全体映像データを受け取ると、その全体映像データに含まれている初期子映像データを検出する（ステップＳ２０３）。子映像検出部１７は、その検出結果を立体感変更部１２ａに出力する。
【０１９０】
次に、立体感変更部１２ａは、映像データ取得部１１ａから全体映像データを受け取る一方、子映像検出部１７から子映像検出結果を受け取る。そして、立体感変更部１２ａは、子映像検出結果を基に、全体映像データのうちから初期子映像データを特定し、その初期子映像データに与えられている立体感（初期立体感）を検出し、変更する（ステップＳ２０４）。
【０１９１】
本ステップＳ２０４においては、立体感はたとえば、上で述べた水平方向ずれ量という指標を用いて表わされている。立体感変更部１２ａは、初期子映像データの初期立体感の水平方向ずれ量を検出すると、所定の増減幅に沿って、所定の増減幅に沿って、初期立体感の水平方向ずれ量を増減させ、変更する。
【０１９２】
立体感変更部１２ａは、このようにして初期立体感から変更された第２次立体感を持つ、少なくとも１つの第２次子映像データを画面構成部１３に出力する。
【０１９３】
次に、画面構成部１３は、映像データ取得部１１ａから全体映像データ（初期子映像データを含む）を受け取ると共に、立体感変更部１２ａから少なくとも１つの第２次子映像データを受け取る。画面構成部１３は、初期子映像データおよび少なくとも１つの第２次子映像データを受け取ると、初期子映像データおよび少なくとも１つの第２次子映像データのそれぞれを利用する、異なる立体感を持つ複数の子映像を、立体映像表示装置１００の表示装置１０２の画面上において、どのように配置するかについて構成する（ステップＳ２０５）。なお、画面構成部１３は、全体映像データに含まれる親映像のためのデータについては、そのまま、表示制御部１４ａに出力する。
【０１９４】
本ステップＳ２０５においては、画面構成部１３は、初期立体子映像と、少なくとも１つの第２次立体子映像との表示装置１０２の画面上における配置、すなわち、それぞれの位置および大きさ（縦方向および横方向）を構成する。
【０１９５】
上述したように、両眼視差を利用する立体映像技術であれば、互いに異なる立体感を持つ、複数の立体映像間において水平位置と横幅とが同一であることが好ましい。そうすれば、視聴者は、初期立体子映像を含む複数の子映像間における立体感の差異を容易に認識することが可能となる。たとえば、図９に示すように、表示装置１０２の画面の一部の領域３００ａ上に異なる立体感（ここでは、立体感３と立体感４）の子映像３０２および３０３を表示させることができる。
【０１９６】
また、図８に示すように、画面構成部１３は、一部の領域３００上における上記の２つの子映像の位置および大きさを構成すると共に、視聴者に対し、複数の子映像のうちどの子映像を選択するかについて問い合わせするための問い合わせダイアログボックス３０１についても、その位置および大きさも構成してもよい。この問い合わせダイアログボックス３０１は、利用者情報を視聴者が操作装置１０３を用いて入力するためのものでもある。この問い合わせダイアログボックス３０１は、上記の複数の立体映像と共に、表示装置１０２の画面の一部の領域３００・３００ａ上に表示されることになる。
【０１９７】
画面構成部１３は、図８や図９に示すような画面構成を示す画面構成情報を、上記の全体映像データ（初期子映像データを含む）および少なくとも１つの第２次子映像データと共に、表示制御部１４ａに出力する。
【０１９８】
次に、表示制御部１４ａは、画面構成部１３から受け取った画面構成情報が示す画面構成に沿って、初期立体子映像を含む複数の第２次立体子映像が同時に表示されるよう、表示装置１０２による映像表示処理を制御する。視聴者は、図９に示した一部の領域３００ａを視聴し、複数の子映像３０２および３０３を互いに比較する。図９では、２つの子映像３０２および３０３のみが表示されているが、画面の一部の領域３００ａの表示内容を上下に移動させることより、他の第２次立体子映像も視聴することができることはいうまでもない。もちろん、一部の領域３００ａ内に表示される映像数をより多くしてもよい。
【０１９９】
そして、視聴者は、それらの比較を行なうことによって、自身によってより適切な、つまり、好みの子映像を判断し、選択する（ステップＳ２０６）。
【０２００】
本ステップＳ２０６においては、たとえば、図８において、視聴者が、問い合わせダイアログボックス３０１に対し、「立体感」３０１ａの指示を入力すると、表示制御部１４ａは、その指示入力を受け取り、初期立体子映像を含む複数の子映像が同時に表示されるよう、表示装置１０２による映像表示処理を制御すればよい。
【０２０１】
従来であれば、初期立体子映像のみを視聴していても、視聴者は、なかなか自身の好みの立体感を持つ子映像であるか否かについては、判断することが難しかった。
【０２０２】
これに対し、立体映像出力装置１０ａによれば、上述したように、視聴者に初期立体子映像とは異なる立体感を用いた第２次子映像とを比較させることによって、視聴者自身に好みの子映像を選択させることができる。そうすることにより、適切な立体感を用いた子映像を出力することができる。したがって、視聴者に適切な立体感を用いた子映像を視聴させることができる。
【０２０３】
次に、たとえば、視聴者が、図９の「立体感３」の立体映像３０２を選択し、続いて、図１０の一部の領域３００ｂ上の問い合わせダイアログボックス３０１に対し、「利用者情報の関連付け無し」の指示を入力すると（ステップＳ２０７の「無し」）、後述するステップＳ２１０に進む。
【０２０４】
一方、視聴者が、問い合わせダイアログボックス３０１に対し、「利用者情報の関連付け有り」の指示を入力すると（ステップＳ２０７の「有り」）、利用者情報取得部１８は、視聴者が操作装置１０３を用いて入力する利用者情報を受け取る（ステップＳ２０８）。
【０２０５】
本ステップＳ２０８においては、視聴者は、たとえば、図１０において、視聴者が、問い合わせダイアログボックス３０１に対し、「年齢」３０１ｂの指示を入力すると、表示制御部１４ａは、その指示入力を受け取り、たとえば図１１に示す一部の領域３００ｃのように、複数の年齢幅が表示されるよう、表示装置１０２による映像表示処理を制御すればよい。視聴者は、操作装置１０３を用いて、図１１に示すように、自身の年齢が含まれる年齢幅（ここでは、「２１〜３０歳」３０４）を入力すればよい。
【０２０６】
続いて、視聴者は、たとえば、図１２の領域３００ｄにおいて、視聴者が、問い合わせダイアログボックス３０１に対し、「ジャンル」３０１ｃの指示を入力すると、表示制御部１４ａは、その指示入力を受け取り、たとえば図１３に示す一部の領域３００ｅのように、複数のジャンルが表示されるよう、表示装置１０２による映像表示処理を制御すればよい。視聴者は、操作装置１０３を用いて、図１３に示すように、自身の好みのジャンル（ここでは、「スポーツ」３０５）を入力すればよい。
【０２０７】
次に、利用者情報関連付け部１９は、上記のステップＳ２０６において、視聴者による子映像の選択指示を受け取っている。利用者情報関連付け部１９は、利用者情報取得部１８から出力された利用者情報と、その選択指示対象の立体映像の立体感とを関連付けする（ステップＳ２０９）。本ステップＳ２０９においては、利用者情報関連付け部１９は、このようにして関連付けた立体感と利用情報とを一組とする関連付け情報を、関連付け情報記憶部２１に記憶する。
【０２０８】
このようにして立体映像出力装置１０ａは、視聴者が立体映像表示装置１００ａを用いて、子映像を視聴する機会があるごとに、利用者情報取得部１８から出力された利用者情報と、視聴者が選択する子映像の立体感とを関連付けし、多数の関連付け情報を関連付け情報記憶部２１に記憶する。
【０２０９】
その結果、たとえば、ある視聴者が子映像を視聴するとき、立体感調整部２２は、以下に述べるステップＳ２１０の処理を実行する。すなわち、本ステップＳ２１０においては、映像データ記憶装置１０１から全体映像データ（初期子映像データを含む）を取得し、その初期子映像データの初期立体感を調整する。
【０２１０】
初期立体感が適切な立体感であれば、立体感調整部２２はそのまま初期子映像データを全体映像データに含め、表示制御部１４ａに出力する。一方、初期立体感が適切なものでなければ、立体感調整部２２は、初期立体感を関連付け情報を基に、適切な立体感に調整する。そして、立体感調整部２２は、その調整された立体感を持つ初期子映像データを、親映像のためのデータと共に、表示制御部１４ａに出力する。
【０２１１】
そして、表示制御部１４ａは、立体感調整部２２がそのまま初期子映像データを出力した場合、初期立体感を利用する初期立体子映像が表示されるよう、表示装置１０２による映像表示処理を制御する。
【０２１２】
一方、立体感調整部２２が、調整された立体感を持つ第２次子映像データを出力した場合、その調整された立体感を利用する第２次立体子映像が表示されるよう、表示装置１０２による映像表示処理を制御する。
【０２１３】
このようにして立体映像出力装置１０ａの動作が終了する。
【０２１４】
以上のように、立体映像出力装置１０ａによれば、異なる立体感を持つ複数の子映像を視聴者に視聴させ、それらを視聴者に比較させることによって、視聴者の好みの子映像を選択させる。
【０２１５】
そして、立体映像出力装置１０ａは、視聴者が選択する子映像の立体感と視聴者の利用者情報を関連付けし、記憶する。
【０２１６】
したがって、ある視聴者が子映像を視聴するとき、その関連付け情報を参照することにより、視聴者に適切な立体感を用いた映像を出力し、表示装置に表示させることができる。
【０２１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２１８】
最後に、立体映像出力装置１０および１０ａの各ブロック（不具合情報記憶部１５および関連付け情報記憶部２１を除く）、ハードウェアロジックによって構成してもよいし、次のようにＣＰＵを用いてソフトウェアによって実現してもよい。
【０２１９】
すなわち、立体映像出力装置１０および１０ａは、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである立体映像出力装置１０および１０ａの制御プログラムのプログラムコード（実行形式プログラム、中間コードプログラム、ソースプログラム）をコンピュータで読み取り可能に記録した記録媒体を、前記立体映像出力装置１０および１０ａに供給し、そのコンピュータ（又はＣＰＵやＭＰＵ）が記録媒体に記録されているプログラムコードを読み出し実行することによっても、達成可能である。
【０２２０】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２１】
また、立体映像出力装置１０および１０ａを通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２２２】
なお、本発明は、以下のようにも表現することができる。すなわち、本発明は、立体映像を出力する立体映像出力装置であって、第１の映像とは異なり、該第１の映像の画面サイズよりも小さい画面サイズである第２の映像を、上記第１の映像と同時に出力する映像出力手段を備えており、上記第１の映像に対して設定された立体感とは別に、上記第２の映像の立体感を調整する映像調整手段を備えている立体映像出力装置である。
【産業上の利用可能性】
【０２２３】
本発明は、立体映像専用である、右目用映像および左目用映像を別々に表示させ、視聴者の右目および左目のそれぞれの目のみで視聴させることによって、立体映像の視聴を実現する立体映像出力装置、および、それを用いた立体映像表示装置に好適である。
【符号の説明】
【０２２４】
１０、１０ａ    立体映像出力装置
１１、１１ａ    映像データ取得部
１２、１２ａ    立体感変更部（立体感変更手段）
１３    画面構成部
１４、１４ａ    表示制御部（表示制御手段）
１５    不具合情報記憶部
１６    不具合情報取得部（不具合情報取得手段）
１７    子映像検出部（子映像検出手段）
１８    利用者情報取得部
１９    利用者情報関連付け部（関連付け手段）
２１    関連付け情報記憶部
２２    立体感調整部（立体感調整手段）
４１    シャッター眼鏡
１００、１００ａ    立体映像表示装置
１０１    映像データ記憶装置（映像データ記憶部）
１０２    表示装置
１０３    操作装置
【図１】
0005302285.tif 000002
【図２】
0005302285.tif 000003
【図３】
0005302285.tif 000004
【図４】
0005302285.tif 000005
【図５】
0005302285.tif 000006
【図６】
0005302285.tif 000007
【図７】
0005302285.tif 000008
【図８】
0005302285.tif 000009
【図９】
0005302285.tif 000010
【図１０】
0005302285.tif 000011
【図１１】
0005302285.tif 000012
【図１２】
0005302285.tif 000013
【図１３】
0005302285.tif 000014
【図１４】
0005302285.tif 000015